(57)【特許請求の範囲】
【請求項１】
火災受信機からの伝送線に試験機能付き火災感知器が複数接続され、前記火災受信機は、伝送線を介して各火災感知器に試験結果返送命令を送信し、前記各火災感知器は、該試験結果返送命令への応答として、前記伝送線を介して前記火災受信機に試験結果信号を送信する火災報知設備において、
前記火災感知器は、
各火災感知器で固有に設定される自己のアドレスを記憶するアドレス記憶手段と、
前記火災受信機からの試験結果返送命令、又は他の火災感知器からの試験結果信号を伝送線を介して受信する受信手段と、
火災検出部の試験を実行する試験実行手段と、
を備え、
前記試験実行手段は、
自己のアドレスよりも１つ前のアドレスを所有する火災感知器から送信される試験結果信号を前記受信手段が受信すると、又は、自己のアドレスよりも１つ前のアドレスを所有する火災感知器宛てに送信される試験結果返送命令を前記受信手段が受信すると、自己の火災検出部の試験を実行し、
自己のアドレスよりも２つ前のアドレスを所有する火災感知器から送信される試験結果信号を前記受信手段が受信してから、第１の所定時間を経過しても自己のアドレスよりも１つ前のアドレスを所有する火災感知器から送信される試験結果信号を前記受信手段が受信しないと、自己の火災検出部の試験を実行する、
又は、自己のアドレスよりも１つ前のアドレスを所有する火災感知器宛てに送信される試験結果返送命令を前記受信手段が受信してから、第３の所定時間を経過しても、自己のアドレスよりも１つ前のアドレスを所有する火災感知器から送信される試験結果信号を前記受信手段が受信しないと、自己の火災検出部の試験を実行する
ことを特徴とする火災報知設備。
【請求項２】
火災受信機からの伝送線に試験機能付き火災感知器が複数接続され、前記火災受信機は、伝送線を介して各火災感知器に試験結果返送命令を送信し、前記各火災感知器は、該試験結果返送命令への応答として、前記伝送線を介して前記火災受信機に試験結果信号を送信する火災報知設備において、
前記火災感知器は、
各火災感知器で固有に設定される自己のアドレスを記憶するアドレス記憶手段と、
前記火災受信機からの試験結果返送命令、又は他の火災感知器からの試験結果信号を伝送線を介して受信する受信手段と、
火災検出部の試験を実行する試験実行手段と、
を備え、
前記試験実行手段は、自己のアドレスよりも１つ前のアドレスを所有する火災感知器から送信される試験結果信号を前記受信手段が受信すると、又は、自己のアドレスよりも１つ前のアドレスを所有する火災感知器宛てに送信される試験結果返送命令を前記受信手段が受信すると、自己の火災検出部の試験を実行し、
一番小さいアドレスを所有する前記火災感知器は、
前記試験を実行してから、全ての火災感知器が試験を実行する１サイクル分の周期よりも長い第２の所定時間を経過すると、自己の火災検出部の試験を実行する
ことを特徴とする火災報知設備。
【請求項３】
火災受信機からの伝送線に試験機能付き火災感知器が複数接続され、前記火災受信機は、伝送線を介して各火災感知器に試験結果返送命令を送信し、前記各火災感知器は、該試験結果返送命令への応答として、前記伝送線を介して前記火災受信機に試験結果信号を送信する火災報知設備において、
前記火災感知器は、
各火災感知器で固有に設定される自己のアドレスを記憶するアドレス記憶手段と、
前記火災受信機からの試験結果返送命令、又は他の火災感知器からの試験結果信号を伝送線を介して受信する受信手段と、
火災検出部の試験を実行する試験実行手段と、
前記伝送線に接続される火災感知器のうちで、自己よりも１つ前に試験を実行する火災感知器のアドレスを記憶する前アドレス記憶手段と、
前記伝送線に接続される火災感知器の試験を実行する順番を記憶する試験順番記憶手段と、
前記火災受信機からの状態収集命令に応答して送信された状態応答信号を前記受信手段が受信することにより、前記伝送線に接続される火災感知器の設置状態を把握し、前記試験順番記憶手段を参照して、自己よりも１つ前に試験を実行する火災感知器のアドレスを認識し、かつ認識したアドレスと前記前アドレス記憶手段に記憶された火災感知器のアドレスと異なるときには、認識したアドレスを、前記前アドレス記憶手段に記憶された火災感知器のアドレスとして更新するアドレス更新手段と、
を備え、
前記試験実行手段は、前記前アドレス記憶手段に記憶されているアドレスを所有する火災感知器から送信される試験結果信号を前記受信手段が受信すると、又は、前記前アドレス記憶手段に記憶されているアドレスを所有する火災感知器宛てに送信される試験結果返送命令を前記受信手段が受信すると、自己の火災検出部の試験を実行する
ことを特徴とする火災報知設備。
【請求項４】
火災受信機からの伝送線に試験機能付き火災感知器が複数接続され、前記火災受信機は、伝送線を介して各火災感知器に試験結果返送命令を送信し、前記各火災感知器は、該試験結果返送命令への応答として、前記伝送線を介して前記火災受信機に試験結果信号を送信する火災報知設備において、
前記火災感知器は、
各火災感知器で固有に設定される自己のアドレスを記憶するアドレス記憶手段と、
前記火災受信機からの試験結果返送命令、又は他の火災感知器からの試験結果信号を伝送線を介して受信する受信手段と、
火災検出部の試験を実行する試験実行手段と、
前記伝送線に接続される火災感知器のうちで、自己よりも１つ前に試験を実行する火災感知器のアドレスを記憶する前アドレス記憶手段と、
を備え、
前記試験実行手段は、
前記前アドレス記憶手段に記憶されているアドレスを所有する火災感知器から送信される試験結果信号を前記受信手段が受信すると、又は、前記前アドレス記憶手段に記憶されているアドレスを所有する火災感知器宛てに送信される試験結果返送命令を前記受信手段が受信すると、自己の火災検出部の試験を実行し、
自己よりも２つ前に試験を実行するアドレスを所有する火災感知器から送信される試験結果信号を前記受信手段が受信してから、第１の所定時間を経過しても自己よりも１つ前に試験を実行するアドレスを所有する火災感知器から送信される試験結果信号を前記受信手段が受信しないと、自己の火災検出部の試験を実行する
又は、自己よりも１つ前に試験を実行するアドレスを所有する火災感知器宛てに送信される試験結果返送命令を前記受信手段が受信してから、第３の所定時間を経過しても、自己よりも１つ前に試験を実行するアドレスを所有する火災感知器から送信される試験結果信号を前記受信手段が受信しないと、自己の火災検出部の試験を実行する
ことを特徴とする火災報知設備。
【請求項５】
火災受信機からの伝送線に複数接続され、前記火災受信機から伝送線を介して受信される試験結果返送命令に応答して、前記伝送線を介して前記火災受信機に試験結果信号を送信する火災感知器において、
各火災感知器で固有に設定される自己のアドレスを記憶するアドレス記憶手段と、
前記火災受信機からの試験結果返送命令、又は他の火災感知器からの試験結果信号を伝送線を介して受信する受信手段と、
自己のアドレスよりも１つ前のアドレスを所有する火災感知器から送信される試験結果信号を前記受信手段が受信すると、又は、自己のアドレスよりも１つ前のアドレスを所有する火災感知器宛てに送信される試験結果返送命令を前記受信手段が受信すると、自己の火災検出部の試験を実行し、
自己のアドレスよりも２つ前のアドレスを所有する火災感知器から送信される試験結果信号を前記受信手段が受信してから、第１の所定時間を経過しても自己のアドレスよりも１つ前のアドレスを所有する火災感知器から送信される試験結果信号を前記受信手段が受信しないと、自己の火災検出部の試験を実行する
又は、自己のアドレスよりも１つ前のアドレスを所有する火災感知器宛てに送信される試験結果返送命令を前記受信手段が受信してから、第３の所定時間を経過しても、自己のアドレスよりも１つ前のアドレスを所有する火災感知器から送信される試験結果信号を前記受信手段が受信しないと、自己の火災検出部の試験を実行する試験実行手段と
を備えたことを特徴とする火災感知器。
【発明の詳細な説明】
【技術分野】
【０００１】
本発明は、火災感知器の火災検出部の試験を行う火災報知設備及び火災感知器に関するものである。
【背景技術】
【０００２】
従来の火災報知設備として、火災受信機に接続された複数の火災感知器のうち、１つの火災感知器を試験設定切替器により親火災感知器として機能させ、残りの火災感知器を試験設定切替器により子火災感知器として機能させ、親火災感知器から自己も含め火災検出部（赤外センサー）の試験を行わせる試験信号を出力し、複数の子火災感知器が順に受信して火災検出部の試験を行うものがある。その試験信号は、親火災感知器のタイマーにより１日に１回出力されるように構成されている（例えば、特許文献１参照）。
【先行技術文献】
【特許文献】
【０００３】
【特許文献１】特開２００７−１４８５６２号公報
【発明の概要】
【発明が解決しようとする課題】
【０００４】
ところで、各火災感知器にそれぞれタイマーを内蔵し、そのタイマーにより、異なるタイミングで赤外センサーの動作試験を行うものもある。火災感知器に用いられるタイマー（特許文献１のタイマーも含む）として、例えばＣＲ回路の充放電回数で時間を計測するものが多く、長時間に亘って使用した場合には、火災感知器のタイマーの計測時間に誤差を生じることがある。また、火災感知器を故障等により交換した場合には、交換作業による電源投入のタイミングズレの影響により試験のタイミングが重なることがある。このような状態となった場合には、試験時に大きな電流が流れ電源容量のオーバーとなったり、配線抵抗による電圧降下によって火災感知器の電源電圧が大きく変動し、火災感知器の機能を保てなくなる場合がある。
【０００５】
本発明は、前述のような課題を解決するためになされたもので、火災感知器を１台ずつ順に試験を行って火災感知器の試験タイミングの重なりを防止できること、さらには、火災感知器を１台ずつ順に試験を行うような構成であっても、火災感知器を交換したときの電源投入のタイミングズレによる火災感知器の試験タイミングの重なりを防止できる火災報知設備及び火災感知器を提供することを目的とする。
【課題を解決するための手段】
【０００６】
本発明に係る火災報知設備は、火災受信機からの伝送線に試験機能付き火災感知器が複数接続され、前記火災受信機は、伝送線を介して各火災感知器に試験結果返送命令を送信し、前記各火災感知器は、該試験結果返送命令への応答として、前記伝送線を介して前記火災受信機に試験結果信号を送信する火災報知設備において、前記火災感知器は、各火災感知器で固有に設定される自己のアドレスを記憶するアドレス記憶手段と、前記火災受信機からの試験結果返送命令、又は他の火災感知器からの試験結果信号を伝送線を介して受信する受信手段と、火災検出部の試験を実行する試験実行手段と、を備え、前記試験実行手段は、自己のアドレスよりも１つ前のアドレスを所有する火災感知器から送信される試験結果信号を前記受信手段が受信すると、又は、自己のアドレスよりも１つ前のアドレスを所有する火災感知器宛てに送信される試験結果返送命令を前記受信手段が受信すると、自己の火災検出部の試験を実行し、自己のアドレスよりも２つ前のアドレスを所有する火災感知器から送信される試験結果信号を前記受信手段が受信してから、第１の所定時間を経過しても自己のアドレスよりも１つ前のアドレスを所有する火災感知器から送信される試験結果信号を前記受信手段が受信しないと、自己の火災検出部の試験を実行する、又は、自己のアドレスよりも１つ前のアドレスを所有する火災感知器宛てに送信される試験結果返送命令を前記受信手段が受信してから、第３の所定時間を経過しても、自己のアドレスよりも１つ前のアドレスを所有する火災感知器から送信される試験結果信号を前記受信手段が受信しないと、自己の火災検出部の試験を実行するようにしている。
【発明の効果】
【０００７】
本発明によれば、伝送線に接続される火災感知器のうちで、自己よりも１つ前に試験を実行する火災感知器から送信される試験結果信号を前記受信手段が受信すると、又は、自己よりも１つ前に試験を実行する火災感知器宛てに送信される試験結果返送命令を受信すると、自己の火災検出部の試験を実行するようにしているので、火災感知器の試験タイミングの重なりを防止できる。特に、自己のタイマーで試験タイミングをとる火災感知器と比べ、各火災感知器の試験タイミングが他の火災感知器と重なるようなことがない。このため、試験時に電源容量がオーバーするようなことがなくなり、伝送線の電圧降下による火災感知器の電源電圧が大きく変動するようなこともなくなり、火災感知器の機能低下を抑えることができる。
【図面の簡単な説明】
【０００８】
【図１】本発明の実施の形態に係る火災報知設備の概略構成を示すブロック図。
【図２】図１の火災受信機の概略構成を示すブロック図。
【図３】図１の火災感知器の概略構成を示すブロック図。
【発明を実施するための形態】
【０００９】
以下、本発明の火災報知設備及び火災感知器の実施の形態について図面を用いて説明する。
図１は本発明の実施の形態に係る火災報知設備の概略構成を示すブロック図、図２は図１の火災受信機の概略構成を示すブロック図、図３は図１の火災感知器の概略構成を示すブロック図である。
本実施の形態に係る火災報知設備は、図１に示すように、火災受信機１０と、火災受信機１０からの伝送線Ｌ１、Ｌ２にそれぞれ接続された複数の火災感知器２０（試験機能付き火災感知器の一例）とで構成されている。例えば、伝送線Ｌ１には、グループ１として１回線に接続が可能な２５５個の火災感知器２０が接続され、伝送線Ｌ２には、グループ２として１５０個の火災感知器２０が接続されている。なお、グループ数、グループ毎の火災感知器２０の個数は一例であって限定されるものではない。
【００１０】
火災受信機１０は、図２に示すように、制御部１１と、グループ毎に設けられた復旧スイッチ、警報音停止スイッチ等、図示しない各種のスイッチ、及び表示装置を構成するＬＣＤを備えた表示操作部１２と、記憶部１３と、伝送線Ｌ１、Ｌ２を介してそれぞれ複数の火災感知器２０が接続された送受信部１４とを備えている。
【００１１】
制御部１１は、グループ毎（伝送線Ｌ１、Ｌ２毎）に各火災感知器２０に対して、例えば各火災感知器２０の動作状態を確認するための状態収集命令を一定周期で交互に繰り返し送信する。制御部１１は、状態収集命令の送信により、各火災感知器２０から伝送線Ｌ１、Ｌ２を介して状態応答信号が受信されたときには、状態応答信号に基づいて状態変化（故障等）のある火災感知器２０を特定する。また、制御部１１は、状態変化のある火災感知器２０を特定した場合には、特定した火災感知器２０のグループ番号、アドレス、設置場所、状態変化の情報等を関連付けて記憶部１３に格納し、かつ、それらを表示操作部１２のＬＣＤに表示して報知する。さらに、制御部１１は、状態応答信号が受信されなかったときには、異常（無応答）と判定して、状態応答信号がなかった火災感知器２０のグループ番号、アドレス、設置場所等を関連付けて記憶部１３に格納し、かつ、それらを表示操作部１２のＬＣＤに表示して報知する。
【００１２】
ここで、火災受信機１０は、記憶部１３として、各伝送線Ｌ１、Ｌ２に接続された火災感知器２０のアドレスを記憶するアドレス記憶部を有する。そして、火災受信機１０は、アドレス記憶部を参照して、状態収集命令として、各伝送線Ｌ１、Ｌ２毎に、火災感知器２０のアドレスを指定して送信し、当該アドレスを指定された単一又は複数の火災感知器２０だけに応答させて状態応答信号を送信させる。そして、このような状態収集命令を全ての火災感知器２０に対して循環的に送信することにより、火災受信機１０は、伝送線Ｌ１、Ｌ２に接続された全ての火災感知器２０から状態応答信号を受信することができる構成となっている。
また、火災受信機１０は、記憶部１３として、各伝送線Ｌ１、Ｌ２に接続された火災感知器２０の試験の順番を記憶する試験順番記憶部を有する。試験順番記憶部には、各伝送線Ｌ１、Ｌ２毎に、各火災感知器２０のアドレスに対応して、試験の順番が記憶される。本実施の形態では、アドレス「００１」、「００２」、…「２５５」の火災感知器２０の試験の順番が、「００１」番、「００２」番、…、「２５５」番となっており、つまり、各伝送線Ｌ１、Ｌ２毎に、各火災感知器２０のアドレスが、そのまま試験の順番として記憶されている。
そして、火災受信機１０は、この試験順番記憶部を利用して、全ての火災感知器２０が状態応答信号を送信する１サイクル分の周期よりも長い周期、例えば１週間毎に、定期的に、各火災感知器２０に対して、試験結果返送命令を送信し、その応答として試験結果信号を受信する構成となっている。
【００１３】
例えば、伝送線Ｌ１を例に説明すると、火災受信機１０は、試験順番記憶部を参照して、まず一番目の火災感知器２０のアドレス「００１」を指定して試験結果返送命令を送信し、当該アドレスを指定された火災感知器２０だけに応答させて試験結果信号を送信させる。そして、このような試験結果返送命令を、二番目の火災感知器２０のアドレス「００２」、…、最後尾の火災感知器２０のアドレス「２２５」の順番で、伝送線Ｌ１に接続された全ての火災感知器２０に対して循環的に送信することにより、火災受信機１０は、伝送線Ｌ１に接続された全ての火災感知器２０から試験結果信号を受信することができる構成となっている。
そして、火災受信機１０の制御部１１は、試験結果返送命令の送信により、各火災感知器２０から伝送線Ｌ１、Ｌ２を介して試験結果信号が受信されたときには、試験結果信号に基づいて火災感知器２０の試験結果（試験正常又は試験異常）を特定する。また、制御部１１は、試験異常の火災感知器２０を特定した場合には、特定した火災感知器２０のグループ番号、アドレス、設置場所、状態変化の情報等を関連付けて記憶部１３に格納し、かつ、それらを表示操作部１２のＬＣＤに表示して報知する。
【００１４】
なお、試験結果返送命令の送信周期は、例えば１０秒に設定されており、火災受信機１０は、Ｎ番目の火災感知器２０に対して試験結果返送命令を送信してから、Ｎ＋１番目の火災感知器２０に対して試験結果返送命令を送信するまでの間（１０秒間）に、Ｎ番目の火災感知器２０から試験結果信号を受信しないと、Ｎ番目の火災感知器２０は異常（無応答）と判定して、異常と判定した火災感知器２０のグループ番号、アドレス、設置場所等を関連付けて記憶部１３に格納し、かつ、それらを表示操作部１２のＬＣＤに表示して報知する。
【００１５】
それぞれの火災感知器２０は、図３に示すように、例えば焦電素子等からなる赤外線センサー２３を備えた炎感知器で、制御部２１と、火災検出部である赤外線センサー２３と、赤外線センサー２３の受光感度の試験を行うときに擬似の火災光を発光する試験光源２２と、記憶部２４と、送受信部２５と、タイマー２６を備えている。前述の赤外線センサー２３は、炎から放射されるＣＯ２共鳴放射の赤外線を受光し、その受光量に応じて電気信号に変換し制御部２１に入力する。記憶部２４には、各火災感知器２０で固有に設定された自己のアドレスが記憶されている。
【００１６】
各火災感知器２０に設定されたアドレスは、例えば図１に示すように、グループ毎に付与された連番からなり、火災受信機１０に最も近い火災感知器２０には「００１」が付与され、火災受信機１０から遠ざかるに連れ「００２」、「００３」と順に番号が付与されている。グループ１における最後尾の火災感知器２０には、「２５５」のアドレスが付与され、グループ２における最後尾の火災感知器２０には、「１５０」のアドレスが付与されている。
【００１７】
送受信部２５には、火災受信機１０から一定周期で伝送線Ｌ１（又はＬ２）を介して送信される状態収集命令、試験結果返送命令を受信し、また、後述するが、他の火災感知器２０からの試験結果信号を伝送線Ｌ１（又はＬ２）を介して受信する受信手段を有している。
【００１８】
各火災感知器２０の制御部２１は、伝送線Ｌ１（又はＬ２）に接続される各火災感知器２０のうちで、自己よりも１つ前に試験を実行する火災感知器２０から送信される試験結果信号が送受信部２５に受信されると、試験光源２２を発光させて赤外線センサー２３の試験を実行する試験実行手段を備えている。
ここで、本実施の形態では、前述したとおり、各火災感知器２０は、各伝送線Ｌ１、Ｌ２毎に、各火災感知器２０のアドレスの小さいほうから順番で、火災感知器２０の試験を実行する。そのため、制御部２１は、自己のアドレスよりも１つ前のアドレスを所有する火災感知器２０から送信される試験結果信号が送受信部２５に受信されると、前述のように、試験光源２２を発光させて赤外線センサー２３の試験を実行し、試験結果を記憶部２４に記憶する。そして、その試験結果の情報を添付した試験結果信号を、火災受信機１０から送信される試験結果返送命令を受信したときに、火災受信機１０（及び他の火災感知器２０）に送信する。試験結果信号には、グループ番号、自己のアドレスが含まれている。
【００１９】
また、制御部２１は、自己のアドレスよりも２つ前のアドレスを所有する火災感知器２０から送信される試験結果信号を送受信部２５が受信してから、第１の所定時間を経過しても自己のアドレスよりも１つ前のアドレスを所有する火災感知器２０から送信される試験結果信号を送受信部２５が受信しないときには、試験光源２２を発光させて赤外線センサー２３の試験を実行する。つまり、１つ前のアドレスを所有する火災感知器２０が交換により伝送線Ｌ１（又はＬ２）から取り外されているなどの異常（無応答）であり、動作試験を実行不可能な状態であると判断して、試験の順番をスキップして、自身の試験を実行し、試験結果を記憶部２４に記憶する。そして、前述したように、試験結果の情報を添付した試験結果信号を、火災受信機１０から送信される試験結果返送命令を受信したときに、火災受信機１０（及び他の火災感知器２０）に送信する。
【００２０】
２つ前のアドレスかどうか、また、１つ前のアドレスかどうかは、そのアドレスを所有する火災感知器２０から送信される試験結果信号に含まれるアドレス（番号）と自己のアドレス（番号）とを比較して判定している。つまり、同一伝送線Ｌ１、Ｌ２上の各火災感知器２０の制御部２１は、試験を行った他の火災感知器２０から送信される試験結果信号から自己の試験タイミングを判定しており、自己のアドレスよりも２つ前のアドレスを所有する火災感知器２０から送信される試験結果信号を受信してから第１の所定時間を経過したかどうかをタイマー２６から判定している。
ここで、前述したとおり、火災受信機１０における試験結果返送命令の送信周期が、例えば１０秒に設定されていることから、試験結果返送命令に基づく試験結果信号の送信周期も概ね１０秒程度となる。そのため、第１の所定時間は、１０秒よりもやや大きい時間であればよいが、本実施の形態では、試験結果信号の伝送誤差も考慮して、第１の所定時間は、例えば１３秒に設定されている。
【００２１】
同一伝送線Ｌ１、Ｌ２上で一番小さいアドレス（００１）を所有する火災感知器２０の制御部２１は、即ち、同一伝送線Ｌ１、Ｌ２上で最初に動作試験を実行する火災感知器２０の制御部２１は、自己の試験を実行してから、全ての火災感知器２０が試験を実行する１サイクル分の周期よりも長い第２の所定時間を経過すると、新たに自己の赤外線センサー２３の試験を実行し、試験結果を記憶部２４に記憶する。これにより、他の火災感知器２０と試験タイミングが重なることを防止することができる。
第２の所定時間は、１回線に接続が可能な２５５個の火災感知器２０のうち、１個目の火災感知器２０から２５５個目の火災感知器２０が試験を終了する時間よりも長い時間である。グループ２上の火災感知器２０は、１５０個であるが、前記の第２の所定時間を経過したときに、新たに自己の赤外線センサー２３の試験を実行するようになっている。なお、各グループ毎に接続した火災感知器２０の個数に合わせて第２の所定時間を設定できるようにしてもよい。
ここで、前述したとおり、試験結果返送命令に基づく試験結果信号の送信周期が概ね１０秒程度であることから、１回線に接続が可能な２５５個の火災感知器２０が試験を終了する時間は、１０秒の２５５倍である２５５０秒である。そのため、第２の所定時間は、２５５０秒よりも長い時間であればよい。本実施の形態では、第２の所定時間は、２５５０秒よりも長く、かつ、火災受信機１０による当該火災感知器２０に対する試験結果返送命令の送信周期（例えば、１週間）よりも短い時間である、例えば１日に設定されている。
なお、同一伝送線Ｌ１、Ｌ２上で最初に動作試験を実行する火災感知器２０の制御部２１は、１回も試験を実行していない電源投入時は、第２の所定時間として、電源投入からの経過時間を計測し、第２の所定時間が経過すると、自己の赤外線センサー２３の試験を実行する。
【００２２】
前記のように構成された火災報知設備において、火災発生時の動作について説明する。
出火により炎が発生すると、その場所に設置された火災感知器２０の赤外線センサーが、炎から発生する赤外線を受光し、赤外線の受光量に応じて電気信号に変換し制御部２１に入力する。制御部２１は、入力された電気信号の電圧値（又は電流値）と予め設定された火災判定値とを比較する。制御部２１は、電気信号の電圧値が火災判定値以上のときには、グループ番号、自己のアドレスを含む火災検出信号を生成して、記憶部２４に記憶する。
【００２３】
一方、例えば、火災受信機１０の制御部１１は、グループ１（伝送線Ｌ１）の各火災感知器２０に対して状態収集命令を送信し、次いで、グループ２（伝送線Ｌ２）の各火災感知器２０に対して状態収集命令を送信し、これを一定周期で交互に繰り返し送信している。
グループ１及びグループ２の各火災感知器２０の制御部２１は、それぞれ自己アドレス宛の状態収集命令を受信すると、記憶部２４を参照し、火災を検出している場合は、状態応答信号としての火災検出信号を、送受信部２５から伝送線Ｌ１（又はＬ２）を介して、火災受信機１０に送信する。なお、火災を検出していない場合は、状態応答信号としての正常信号を送信する。
火災受信機１０の送受信部１４に火災検知信号が入力されると、制御部１１は、火災検出信号に含まれるグループ番号、火災感知器２０のアドレス、その火災感知器２０の設置場所、火災発生の旨等を記憶部１３に格納し、かつ、それらの情報を表示操作部１２のＬＣＤに表示すると共に、火災受信機１０に内蔵されたブザーを起動して警報音を発し、管理者に報知する。
【００２４】
次に、火災感知器２０の試験動作について説明する。
まず、伝送線Ｌ１、Ｌ２（グループ１、２）上の全ての各火災感知器２０の設置後に、火災受信機１０に電源が投入されることによって、各火災感知器２０に電源が投入される。そして、火災受信機１０の制御部１１は、前述したとおり、１週間が経過する毎に、定期的に、各火災感知器２０に対して、試験結果返送命令を送信する。まず、火災受信機１０の制御部１１は、試験順番記憶部を参照して、伝送線Ｌ１に対して、まず一番目の火災感知器２０のアドレス「００１」を指定して試験結果返送命令を送信し、当該アドレスを指定された火災感知器２０だけに応答させて試験結果信号を送信させる。そして、このような試験結果返送命令を、二番目の火災感知器２０のアドレス「００２」、…、最後尾の火災感知器２０のアドレス「２２５」の順番で、伝送線Ｌ１に接続された全ての火災感知器２０に対して循環的に送信する。その後、伝送線Ｌ２に対しても同様に全ての火災感知器２０に対して試験結果返送命令を送信する。
【００２５】
グループ１の各火災感知器２０において、アドレス（００１）を所有する火災感知器２０の制御部２１は、電源投入からの経過時間を計測し、第２の所定時間が経過すると、試験光源２２を発光（擬似の火災光）させて赤外線センサー２３に受光させ、その受光量に基づく試験結果（試験正常又は試験異常）を記憶部２４に記憶する。なお、記憶部２４に記憶される試験結果は、試験を実施する度に、最新の試験結果に上書き更新される。
受光量に基づく試験結果とは、受光量に応じた電圧値（又は電流値）が前述の火災判定値以上かどうかの判定に基づいた結果である。つまり、受光量に応じた電圧値が火災判定値以上のときに正常と判定し、受光量に応じた電圧値が火災判定値未満のときには異常と判定する。なお、試験で用いる判定値としては、火災判定値に限らず、それ以外の試験用判定値であってもよい。
そして、火災受信機１０から送信される自己アドレス宛の試験結果返送命令が受信されると、記憶部２４に記憶された試験結果の情報を添付した試験結果信号を伝送線Ｌ１上に送信する。この試験結果信号は、伝送線Ｌ１を介して火災受信機１０に受信されると共に、伝送線Ｌ１上の他の火災感知器２０に受信される。
【００２６】
一方、他の火災感知器２０の制御部２１は、それぞれ自己のアドレスよりも１つ前のアドレスを所有する火災感知器２０から試験結果信号が送信されたかどうか、また、自己のアドレスよりも２つ前のアドレスを所有する火災感知器２０から試験結果信号が送信されたかどうかを判定する。この時、アドレス（００２）を所有する火災感知器２０の制御部２１は、１つ前のアドレス（００１）を所有する火災感知器２０から試験結果信号が送信されたと認識したときには、試験光源２２を発光させて赤外線センサー２３に受光させ、その受光量に基づく試験結果を記憶部２４に記憶する。そして、火災受信機１０から送信される自己アドレス宛の試験結果返送命令が受信されると、記憶部２４に記憶された試験結果の情報を添付した試験結果信号を伝送線Ｌ１上に送信する。
【００２７】
このように、試験結果信号が伝送線Ｌ１上に送信される毎に、試験結果信号を送信した火災感知器２０のアドレスに「＋１」のアドレスを所有する火災感知器２０から順番に赤外線センサー２３の試験を行っていく。そして、グループ１上で一番小さいアドレス（００１）を所有する火災感知器２０の制御部２１は、自己の試験を実行してから第２の所定時間を経過したかどうかを判定しており、全ての火災感知器２０が試験を実行する１サイクル分の周期よりも長い第２の所定時間を経過したときには、新たに自己の赤外線センサー２３の試験を実行して、試験結果を記憶部２４に記憶する。そして、火災受信機１０から送信される自己アドレス宛の試験結果返送命令が受信されると、試験結果信号を伝送線Ｌ１上に送信する。
【００２８】
また、試験中において、何れかの火災感知器２０の制御部２１は、自己のアドレスよりも２つ前のアドレスを所有する火災感知器２０から送信される試験結果信号を送受信部２５が受信してから、第１の所定時間を経過しても自己のアドレスよりも１つ前のアドレスを所有する火災感知器２０から送信される試験結果信号を送受信部２５が受信しないときには、自己の試験光源２２を発光させて赤外線センサー２３の試験を実行する。このような場合は、自己の火災感知器２０より１つ前に試験を行うべき火災感知器２０が交換のために取り外されている状態で、試験を中断しないようにするためである。
【００２９】
一方、グループ２の各火災感知器２０は、グループ１と同様に、アドレスの順番に試験を行い、「１５０」のアドレスを有する火災感知器２０が試験を終了すると、グループ２上で一番小さいアドレス（００１）を所有する火災感知器２０の制御部２１は、自己の試験を実行してから第２の所定時間を経過したかどうかを判定しており、第２の所定時間を経過したときには、新たに自己の赤外線センサー２３の試験を実行して、試験結果を記憶部２４に記憶する。そして、火災受信機１０から送信される自己アドレス宛の試験結果返送命令が受信されると、試験結果信号を伝送線Ｌ２上に送信する。
【００３０】
以上のように実施の形態によれば、試験結果信号が伝送線Ｌ１（又はＬ２）上に送信される毎に、試験結果信号を送信した火災感知器２０のアドレスに「＋１」のアドレスを所有する火災感知器２０から順番に赤外線センサー２３の試験を行っていくようにしているので、自己のタイマーで試験タイミングをとる火災感知器と比べ、各火災感知器２０の試験タイミングが他の火災感知器２０と重なるようなことがない。このため、試験時（試験光源２２の発光時）に電源容量がオーバーするようなことがなくなり、伝送線Ｌ１、Ｌ２の電圧降下による火災感知器２０の電源電圧が大きく変動するようなこともなくなり、火災感知器２０の機能低下を抑えることができる。
【００３１】
また、自己のアドレスよりも２つ前のアドレスを所有する火災感知器２０から送信される試験結果信号を受信してから、第１の所定時間を経過しても自己のアドレスよりも１つ前のアドレスを所有する火災感知器２０から送信される試験結果信号を受信しないときには、自己の赤外線センサー２３の試験を行うようにしている。これにより、自己の火災感知器２０より１つ前に試験を行うべき火災感知器２０が取り外された状態であっても、試験を中断することなく継続して行うことができる。
【００３２】
（変形例１）
本実施の形態では、火災感知器２０の試験をアドレスの順番に行うようにしたが、火災感知器２０が、自己よりも１つ前に試験を実行する火災感知器２０のアドレスを記憶し、その火災感知器２０が試験を実行した後に、自己の火災感知器２０の試験を実行するようにしてもよい。つまり、火災感知器２０の試験がアドレスの順番に実行されないようにしてもよい。
【００３３】
変形例１における各火災感知器２０は、伝送線Ｌ１（又はＬ２）に接続された火災感知器２０のうちで、自己よりも１つ前に試験を実行する火災感知器２０のアドレス（前アドレス）が記憶された記憶部２４（前アドレス記憶手段の一例）と、記憶部２４に記憶されているアドレスを所有する火災感知器２０から送信される試験結果信号を送受信部２５が受信すると、自己の赤外線センサー２３の試験を実行する試験実行手段を有する制御部２１とを備えている。
【００３４】
例えば、同一伝送線Ｌ１、Ｌ２上で最初に試験を行う火災感知器２０は、本実施の形態における同一伝送線Ｌ１、Ｌ２上で一番小さいアドレス（００１）を所有する火災感知器２０と同様に動作し、その火災感知器２０の制御部２１は、電源投入時には、電源投入からの経過時間を計測し、第２の所定時間が経過すると、前述したように、自己の赤外線センサー２３の試験を実行し、試験結果を記憶部２４に記憶する。そして、火災受信機１０から送信される自己アドレス宛の試験結果返送命令が受信されると、記憶部２４に記憶された試験結果の情報を添付した試験結果信号を伝送線Ｌ１（又はＬ２）を介して火災受信機１０に送信して試験結果を通知すると共に、伝送線Ｌ１（又はＬ２）上の他の火災感知器２０に受信させる。
【００３５】
一方、他の火災感知器２０の制御部２１は、試験結果信号が受信されると、試験結果信号に添付されたアドレスが記憶部２４に記憶されたアドレスと同一かどうかを判定する。他の火災感知器２０のうちで、次に試験を行うべき１個の火災感知器２０の制御部２１が、記憶部２４に記憶されたアドレスと同一と判定して、前記と同様に、自己の赤外線センサー２３の試験を実行し、試験結果を記憶部２４に記憶する。そして、火災受信機１０から送信される自己アドレス宛の試験結果返送命令が受信されると、記憶部２４に記憶された試験結果の情報を添付した試験結果信号を伝送線Ｌ１（又はＬ２）を介して火災受信機１０に送信して試験結果を通知すると共に、伝送線Ｌ１（又はＬ２）上の他の火災感知器２０に受信させる。
【００３６】
このように、各火災感知器２０は、記憶部２４に記憶されている自己よりも１つ前に試験を実行するアドレスを所有する火災感知器２０から送信される試験結果信号が受信されると、自己の赤外線センサー２３の試験を実行するようにしているので、各火災感知器２０のアドレスを連番とする必要がなくなり、火災感知器２０の設置作業が容易になる。また、自己のタイマーで試験タイミングをとる火災感知器と比べ、各火災感知器２０の試験タイミングが他の火災感知器２０と重なるようなことがない。このため、試験時（試験光源２２の発光時）に電源容量がオーバーするようなことがなくなり、伝送線Ｌ１、Ｌ２の電圧降下による火災感知器２０の電源電圧が大きく変動するようなこともなくなり、火災感知器２０の機能低下を抑えることができる。
【００３７】
（変形例２）
変形例１では、自己よりも１つ前に試験を実行する火災感知器２０のアドレスを記憶し、その火災感知器２０が試験結果信号を送信した後に、自己の火災感知器２０の試験を実行するようにしたが、変形例２は、試験を実行する前に、伝送線Ｌ１、Ｌ２に接続された各火災感知器２０が試験を実行する順番を参照して、自己よりも１つ前に試験を実行する火災感知器２０のアドレスを判別する。
【００３８】
変形例２における各火災感知器２０は、伝送線Ｌ１（又はＬ２）に接続された各火災感知器２０のうちで、自己よりも１つ前に試験を実行する火災感知器２０のアドレス（前アドレス）、及び同一伝送線Ｌ１、Ｌ２上で各火災感知器２０の試験を実行する順番がそれぞれ記憶された記憶部２４（前アドレス記憶手段、試験順番記憶手段の一例）と、火災受信機１０からの状態収集命令に応答して送信された状態応答信号を送受信部２５が受信することにより、伝送線Ｌ１（又はＬ２）に接続される各火災感知器２０の設置状態を把握し、記憶部２４に記憶された試験の順番を参照して、自己よりも１つ前に試験を実行する火災感知器２０のアドレスを認識し、かつ認識したアドレスと記憶部２４に記憶された火災感知器２０のアドレスと異なるときには、認識したアドレスを、自己よりも１つ前に試験を実行する火災感知器２０のアドレスとして更新するアドレス更新手段を有する制御部２１とを備えている。
【００３９】
先ず、伝送線Ｌ１（又はＬ２）上の各火災感知器２０の制御部２１は、それぞれ火災受信機１０からの状態収集命令に応答して送信された他の火災感知器２０からの状態応答信号を受信して、伝送線Ｌ１（又はＬ２）に接続される各火災感知器２０の設置状態を把握する。例えば、自己を中心として前後にそれぞれ何個の火災感知器２０が存在するかを把握する。そして、それぞれの制御部２１は、記憶部２４に記憶された試験の順番を参照して、自己よりも１つ前に試験を実行する火災感知器２０のアドレスを認識し、かつ認識したアドレスと、記憶部２４に予め記憶された自己よりも１つ前に試験を実行する火災感知器２０のアドレスとが異なるときには、認識したアドレスを、自己よりも１つ前に試験を実行する火災感知器２０のアドレスとして更新する。
つまり、状態応答信号を受信できない他の火災感知器２０は、交換により伝送線Ｌ１（又はＬ２）から取り外されているなどの異常（無応答）であり、動作試験を実行不可能な状態であると考えられる。そのため、それぞれの制御部２１は、記憶部２４に記憶された試験の順番を参照し、状態応答信号を受信した火災感知器２０のアドレスのうちで、自己アドレスよりも試験の順番が１つ前となる火災感知器２０のアドレスを判別し、当該アドレスを、自己よりも１つ前に試験を実行する火災感知器２０のアドレスとする。
そして、変形例１と同様に、火災感知器２０の制御部２１は、試験結果信号が受信されると、試験結果信号に添付されたアドレスが記憶部２４に記憶された自己よりも１つ前に試験を実行する火災感知器２０のアドレスと同一かどうかを判定し、同一と判定したときには、自己の赤外線センサー２３の試験を実行する。
【００４０】
このように、各火災感知器２０の試験を実行する際に、各火災感知器２０の制御部２１は、記憶部２４に記憶された試験の順番を参照して、自己よりも１つ前に試験を実行する火災感知器２０のアドレスと、記憶部２４に予め記憶された自己よりも１つ前に試験を実行する火災感知器２０のアドレスとが同一かどうかを判定する。各火災感知器２０の制御部２１は、双方のアドレスが同一のときには、自己の記憶部２４に記憶されている１つ前に試験を実行する火災感知器２０のアドレスから自己の試験タイミングを計り、アドレスが同一でないときには、試験の順番を参照して認識したアドレスを、自己の１つ前に試験を実行する火災感知器２０のアドレスとして更新する。
【００４１】
これにより、変形例１の効果に加えて、自己の火災感知器２０より１つ手前に試験を行うべき火災感知器２０が取り外された状態であっても、試験を中断することなく継続して行うことができる。
なお、本変形例２において、記憶部２４には、自己よりも１つ前に試験を実行する火災感知器２０のアドレス（前アドレス）、及び同一伝送線Ｌ１、Ｌ２上で各火災感知器２０の試験を実行する順番がそれぞれ記憶されるものとして説明したが、同一伝送線Ｌ１、Ｌ２上で各火災感知器２０の試験を実行する順番だけを記憶してもよく、その場合であっても、自己よりも１つ前に試験を実行する火災感知器２０のアドレスを判別（更新）可能であり、更に言えば、同一伝送線Ｌ１、Ｌ２上で各火災感知器２０の試験を実行する順番を更新可能である。
【００４２】
（変形例３）
変形例２では、伝送線Ｌ１、Ｌ２に接続される各火災感知器２０から送信される状態応答信号を受信できたか否かにより、自己よりも１つ前に試験を実行する火災感知器２０のアドレスを判別するようにしたが、変形例３は、本実施の形態のように、自己よりも２つ前に試験を行う火災感知器２０が試験結果信号を送信してから、第１の所定時間を経過しても１つ前に試験を行う火災感知器２０が試験結果信号を送信しないときには、自己の赤外線センサー２３の試験を実行するようにしたものである。
【００４３】
変形例３における各火災感知器２０は、伝送線Ｌ１（又はＬ２）に接続された各火災感知器２０のうちで、自己よりも１つ前に試験を実行する火災感知器２０のアドレス（前アドレス）、及び各火災感知器２０の試験を実行する順番がそれぞれ記憶された記憶部２４（前アドレス記憶手段、試験順番記憶手段の一例）と、自己よりも２つ前に試験を実行するアドレスを所有する火災感知器２０から送信される試験結果信号を送受信部２５が受信してから、第１の所定時間を経過しても自己よりも１つ前に試験を実行するアドレスを所有する火災感知器２０から送信される試験結果信号を送受信部２５が受信しないと、自己の赤外線センサー２３の試験を実行する試験実行手段を有する制御部２１とを備えている。
【００４４】
この場合、伝送線Ｌ１、Ｌ２上の火災感知器２０のアドレスは連番でもよいし、連番でなくてもよい。例えば、伝送線Ｌ１上で最初に試験を行う火災感知器２０から送信された試験結果信号が伝送線Ｌ１を介して他の火災感知器２０に受信されると、他の火災感知器２０の制御部２１は、記憶部２４を参照し、試験の順番が次であれば試験を実行する。
【００４５】
各火災感知器２０が順番に従って試験を実施しているときに、何れかの火災感知器２０の制御部２１は、自己のアドレスよりも２つ前に試験を行うアドレスを所有する火災感知器２０から送信される試験結果信号を送受信部２５が受信してから、第１の所定時間を経過しても自己のアドレスよりも１つ前に試験を行うアドレスを所有する火災感知器２０から送信される試験結果信号を送受信部２５が受信しないときには、自己の赤外線センサー２３の試験を実行する。
【００４６】
これにより、変形例１の効果に加えて、自己の火災感知器２０より１つ前に試験を行うべき火災感知器２０が取り外された状態であっても、試験を中断することなく継続して行うことができる。
【００４７】
なお、本変形例３において、記憶部２４には、自己よりも１つ前に試験を実行する火災感知器２０のアドレス（前アドレス）、及び同一伝送線Ｌ１、Ｌ２上で各火災感知器２０の試験を実行する順番がそれぞれ記憶されるものとして説明したが、同一伝送線Ｌ１、Ｌ２上で各火災感知器２０の試験を実行する順番だけを記憶してもよく、その場合であっても、第１の所定時間を計測可能である。
また、変形例１乃至３において、火災受信機１０の試験順番記憶部は、各火災感知器２０に設定される試験の順番に合わせて、各伝送線Ｌ１、Ｌ２毎に、各火災感知器２０のアドレスに対応して、試験の順番を記憶する。そして、火災受信機１０は、この試験順番記憶部を利用して、例えば１週間毎に、定期的に、各火災感知器２０に対して、試験結果返送命令を送信し、その応答として試験結果信号を受信する。
【００４８】
前記実施の形態、及び変形例１乃至３において、火災受信機１０は、伝送線Ｌ１、Ｌ２上の全ての火災感知器２０に対して、アドレスを指定した試験結果返送命令を個別に送信するものとして説明したが、伝送線Ｌ１、Ｌ２上の最初に試験を行う火災感知器２０に対してだけ、アドレスを指定した試験結果返送命令を送信するようにしてもよい。そして、最初に試験を行う火災感知器２０が応答して試験結果信号を送信すると、当該試験結果信号を受信した二番目に試験を行う火災感知器２０が試験を行って試験結果信号を送信するようにし、以降、三番目、…、最後に試験を行う火災感知器２０が順次同様に動作して、火災受信機１０が、伝送線Ｌ１、Ｌ２上の全ての火災感知器２０から試験結果信号を受信するようにしてもよい。
【００４９】
また、前記実施の形態、及び変形例１乃至３において、伝送線Ｌ１、Ｌ２上の最初に試験を行う火災感知器２０は、第２の所定時間が経過すると、試験動作を行うものとしたが、火災受信機１０から送信される試験開始命令を受信したときに、試験動作を行うようにしてもよい。つまり、火災受信機１０は、当該火災感知器２０宛てに試験結果返送命令を送信する前、例えば、試験結果返送命令の送信周期と同じ時間である１０秒前に、当該火災感知器２０宛てに試験開始命令を送信する。その場合であっても、他の火災感知器２０との試験タイミングの重なりを防止することができる。
このとき、伝送線Ｌ１、Ｌ２上の最初から２番目に試験を行う火災感知器２０は、試験開始命令から第１の所定時間を経過しても最初に試験を行う火災感知器２０が試験結果信号を送信しない場合に自己の試験を開始するようにしてもよい。
【００５０】
また、前記実施の形態、及び変形例１乃至３のいずれかにおいて、火災感知器２０は、同一伝送線Ｌ１、Ｌ２上に接続される火災感知器２０のうちで、自己よりも１つ前に試験を実行する火災感知器２０から送信される試験結果信号を受信すると、自己の火災検出部の試験を実行するものとして説明したが、これに代えて、同一伝送線Ｌ１、Ｌ２上に接続される火災感知器２０のうちで、自己よりも１つ前に試験を実行する火災感知器２０宛てに送信される試験結果返送命令を受信すると、自己の火災検出部の試験を実行するようにしてもよい。このようにしても、他の火災感知器２０との試験タイミングの重なりを防止することができる。
【００５１】
また、前記実施の形態、及び変形例１乃至３のいずれかにおいて、火災感知器２０は、自己よりも２つ前に試験を実行するアドレスを所有する火災感知器２０から送信される試験結果信号を受信してから、第１の所定時間を経過しても自己よりも１つ前に試験を実行するアドレスを所有する火災感知器２０から送信される試験結果信号を受信しないと、自己の火災検出部の試験を実行するものとして説明したが、これに代えて、自己よりも１つ前に試験を実行するアドレスを所有する火災感知器２０宛てに送信される試験結果返送命令を受信してから、第３の所定時間が経過しても、自己よりも１つ前に試験を実行するアドレスを所有する火災感知器２０から試験結果信号を受信しないと、自己の火災検出部の試験を実行するようにしてもよい。なお、各種命令、信号の伝送誤差も考慮して、第３の所定時間は、例えば３秒程度に設定すればよい。
【００５２】
また、前記実施の形態、及び変形例１乃至３は、適宜組み合わせて実施してもよい。
なお、前記した本発明として、火災感知器２０は、同一伝送線Ｌ１、Ｌ２上に接続される火災感知器２０のうちで、自己よりもＮ回前に試験を実行する火災感知器２０から送信される試験結果信号を受信すると、又は、同一伝送線Ｌ１、Ｌ２上に接続される火災感知器２０のうちで、自己よりもＮ回前に試験を実行する火災感知器２０宛てに送信される試験結果返送命令を受信すると、自己の火災検出部の試験を実行するものとしてよく、前記実施の形態、及び変形例１乃至３として説明したように、Ｎ＝１回に限定されない。
このとき、伝送線Ｌ１、Ｌ２上のＮ回目迄に試験を行う火災感知器２０は、自己よりもＮ回前に試験を実行する火災感知器２０として、（Ｍ＋１）−Ｎ回目に試験を実行する火災感知器２０を用いてもよい。ここで、Ｍは、同一伝送線Ｌ１、Ｌ２上に接続される火災感知器２０の接続可能数、又は総数（個数）である。このようにしても、他の火災感知器２０との試験タイミングの重なりを防止することができる。なお、伝送線Ｌ１、Ｌ２上のＮ回目迄に試験を行う火災感知器２０は、今回の試験結果を、次回の試験結果返送タイミングで火災受信機１０に送信することになる。
【００５３】
なお、実施の形態では、火災感知器を炎感知器として説明したが、煙感知器、熱感知器などのその他の火災感知器に適用できることはいうまでもない。
【符号の説明】
【００５４】
１０  火災受信機、１１  制御部、１２  表示操作部、１３  記憶部、１４  送受信部、２０  火災感知器、２１  制御部、２２  試験光源、２３  赤外線センサー、２４  記憶部、２５  送受信部、２６  タイマー、Ｌ１、Ｌ２  伝送線。
【図１】
0006579776.tif 000002
【図２】
0006579776.tif 000003
【図３】
0006579776.tif 000004